(57)【要約】【課題】  解剖学を基礎とし生物力学に符合する靴の中敷の提供。【解決手段】  土踏まずに向けて隆起する内側土踏まず支持部、土踏まずに向けて隆起する外側土踏まず支持部、及び足裏の円弧に対して凹むように形成された踵支持部を具え、上述の各支持部がいずれも足の解剖学の実際に測定した各支持部の最適位置にあり、生物力学に符合し並びに使用者の足の受ける圧力を減らし、足の快適度を増す。【選択図】        図２
0003137991.tif 000002
【実用新案登録請求の範囲】
【請求項１】
靴の中敷であって、解剖学を基礎として生物力学に符合するよう形成され、足底に向けて円弧形に隆起する内側土踏まず支持部、足底に向けて円弧形に隆起する外側土踏まず支持部、足底に対応して凹むように形成された踵骨支持部を包含する、靴の中敷。
【請求項２】
請求項１記載の靴の中敷において、内側土踏まず支持部が足部長さの約１４％部分を起点として足部長さの約６７％部分を終点とし、この区間において足裏に向けて円弧形に隆起するようにして内側土踏まず支持部を形成し、この円弧形の隆起の高点は足部長さの約４０％部分としたことを特徴とする、靴の中敷。
【請求項３】
請求項１記載の靴の中敷において、外側土踏まず支持部の底部に斜切面を形成し、外側土踏まず支持部に良好な弾性を提供することを特徴とする、靴の中敷。
【請求項４】
請求項１記載の靴の中敷において、外側土踏まずは足部長さの約１５％部分を起点とし、足部長さの約４６％部分を終点とし、この区間内において足裏に向けて円弧形に隆起するようにして外側土踏まず支持部を形成する。この円弧形の隆起の高点は足部長さの約２７％部分とすることを特徴とする、靴の中敷。
【請求項５】
請求項１記載の靴の中敷において、踵骨支持部は足部長さの約１１％の低点部分を、足裏の円弧に対応するよう凹ませて形成することを特徴とする、靴の中敷。
【考案の詳細な説明】
【技術分野】
【０００１】
本考案は一種の靴の中敷に係り、特に、解剖学を基礎とし生物力学に符合する靴の中敷に関する。
【背景技術】
【０００２】
ある統計によると、一般の人の走行時の足部が受ける圧力はその人自身の体重に相当し、走る時はその体重の３−４倍にも達し、体重６０ｋｇの人ならば、一日に足の受ける圧力を累計すると、６００〜１２００トンにもなる。このため、非常に薄いスポンジの中敷で地面からの巨大な反作用を受けるだけでは、両足に疲れや痛みが発生しやすく、長期には膝、腰更には脊椎の傷害を発生する恐れがある。
【０００３】
足部の受ける圧力を有効に緩和するため、各種のエアクッション機能を具えた中敷が生まれ、弾性振動吸収、土踏まず支持、土踏まず保護により足の受ける圧力を軽減し足の快適度を増している。
【０００４】
人々の快適さと靴の関係を理解するには、足の解剖構造と生物力学について理解しなければならず、並びにこのような原理を理解して日常生活及び特殊活動において足に溜まる負荷をなくして、快適性を改善することが消費者の要求に符合する。
【０００５】
図１は足部の解剖構造を示し、それは２６個の不規則形状の骨頭、３０個の滑液関節及び１００本以上の靱帯で形成された複雑で安定した構造であり、この構造は通常、足後部、足中部、足前部の三つの部分に分けられる。
【０００６】
そのうち、足後部は地面と接触する踵骨、踵骨の上方に位置し脛骨に沿って踝関節を形成する踝骨を包含する。踵骨を通して、足が地面に接触して受ける衝撃力は全身のその他の部分、特に膝頭に伝えられる。
【０００７】
足中部は５個の足根骨（舟状骨、立方骨、三つの楔状骨を包含する）からなり、これらの骨は靱帯により緊密に接続され、外側土踏まず及び内側土踏まずの基礎を形成する。土踏まずの機能は脛骨より足骨に伝達される全身重量を支持及び分散することにある。土踏まずはまた足部の異なる荷重及び接触面に対する適応を補助する。
【０００８】
足前部は１９個の骨頭を包含し、それは全部で５個の中足骨と足指を構成する１４個の節骨を包含する。
【０００９】
十分に足部の解剖構造を了解した後に、いかに生物力学に符合して足部が受ける負荷を緩和する中敷を提供するかが開発に値する課題となる。
【考案の開示】
【考案が解決しようとする課題】
【００１０】
本考案の目的は一種の靴の中敷を提供することにあり、それは、特に、生物力学に符合する靴の中敷であるものとする。
【課題を解決するための手段】
【００１１】
請求項１の考案は、靴の中敷であって、解剖学を基礎として生物力学に符合するよう形成され、足底に向けて円弧形に隆起する内側土踏まず支持部、足底に向けて円弧形に隆起する外側土踏まず支持部、足底に対応して凹むように形成された踵骨支持部を包含する、靴の中敷としている。
請求項２の考案は、請求項１記載の靴の中敷において、内側土踏まず支持部が足部長さの約１４％部分を起点として足部長さの約６７％部分を終点とし、この区間において足裏に向けて円弧形に隆起するようにして内側土踏まず支持部を形成し、この円弧形の隆起の高点は足部長さの約４０％部分としたことを特徴とする、靴の中敷としている。
請求項３の考案は、請求項１記載の靴の中敷において、外側土踏まず支持部の底部に斜切面を形成し、外側土踏まず支持部に良好な弾性を提供することを特徴とする、靴の中敷としている。
請求項４の考案は、請求項１記載の靴の中敷において、外側土踏まずは足部長さの約１５％部分を起点とし、足部長さの約４６％部分を終点とし、この区間内において足裏に向けて円弧形に隆起するようにして外側土踏まず支持部を形成する。この円弧形の隆起の高点は足部長さの約２７％部分とすることを特徴とする、靴の中敷としている。
請求項５の考案は、請求項１記載の靴の中敷において、踵骨支持部は足部長さの約１１％の低点部分を、足裏の円弧に対応するよう凹ませて形成することを特徴とする、靴の中敷としている。
【考案の効果】
【００１２】
本考案は一種の生物力学に符合する靴の中敷を提供し、それは、土踏まずに向けて隆起する内側土踏まず支持部、土踏まずに向けて隆起する外側土踏まず支持部、及び足裏の円弧に対して凹むように形成された踵支持部を具え、上述の各支持部がいずれも足の解剖学の実際に測定した各支持部の最適位置にあり、生物力学に符合し並びに使用者の足の受ける圧力を減らし、足の快適度を増す。
【考案を実施するための最良の形態】
【００１３】
図２に示されるように、本考案の中敷本体１は、内側土踏まず、外側土踏まず、踵骨の三カ所に対して有効な支持を形成する。
【００１４】
そのうち、図３に示されるように、内側土踏まずは足部長さの約１４％部分を起点Ａ１として足部長さの６６．６６％部分を終点Ａ２とし、この区間において足裏に向けて円弧形に隆起するようにして内側土踏まず支持部１１を形成する。この円弧形の隆起の高点Ａ３は足部長さの約４０％部分とする。
【００１５】
図４に示されるように、外側土踏まずは足部長さの約１５％部分を起点Ｂ１とし、足部長さの約４６％部分を終点Ｂ２とし、この区間内において足裏に向けて円弧形に隆起するようにして外側土踏まず支持部１２を形成する。この円弧形の隆起の高点Ｂ３は足部長さの約２７％部分とする。また、外側土踏まず支持部１２の底部に斜切面１２１を形成し、外側土踏まず支持部１２に良好な弾性を提供している。
【００１６】
図５も参照されたい。踵骨支持部１３は足部長さの約１１％の低点Ｃ部分を、足裏の円弧に対応するよう凹ませて形成する。
【００１７】
以上のデータから分かるように、本考案の靴の中敷の提供する外側土踏まず支持部、内側土踏まず支持部及び踵骨支持部は足部解剖学を基礎としてその最適位置を測定し、これにより生物力学に符合する靴の中敷としており、それは足部の受ける圧力を軽減し、足の快適度を増す。
【００１８】
以上から分かるように、本考案は極めて簡単な構造でありながら、顕著な効果を有する靴の中敷であり、有効に底部支持と振動吸収機能を提供し、健康に深く寄与する。
【図面の簡単な説明】
【００１９】
【図１】人体足部の解剖図である。
【図２】本考案の靴の中敷の平面図である。
【図３】図２の３−３断面であって、内側土踏まず支持部の高点を示す。
【図４】図２の４−４断面であって、外側土踏まず支持部の高点を示す。
【図５】図２の５−５断面であって、踵骨支持部の低点を示す。
【符号の説明】
【００２０】
１  中敷本体
１１  内側土踏まず支持部
１２  外側土踏まず支持部
１３  踵骨支持部
Ａ１  起点
Ａ２  終点
Ａ３  高点
Ｂ１  起点
Ｂ２  終点
Ｂ３  高点
Ｃ２  低点
【図２】
0003137991.tif 000003
【図３】
0003137991.tif 000004
【図４】
0003137991.tif 000005
【図５】
0003137991.tif 000006
【図１】
0003137991.tif 000007